【手続補正書】
【提出日】平成16年5月28日(2004.5.28)
【手続補正１】
【補正対象書類名】明細書
【補正対象項目名】発明の名称
【補正方法】変更
【補正の内容】
【発明の名称】画像処理装置及び画像生成ユニット
【手続補正２】
【補正対象書類名】明細書
【補正対象項目名】特許請求の範囲
【補正方法】変更
【補正の内容】
【特許請求の範囲】
【請求項１】
ページ単位の画像データを分割した分割データ単位で画像を処理する画像処理装置において、
ページ単位の画像データを分割するとともに、前記画像データの分割にかかる属性情報を付加した分割データを生成する分割データ生成手段と、
前記分割データ生成手段により生成された前記分割データに所定の画像処理を行う画像処理手段と、
前記画像処理手段により画像処理された複数の前記分割データを前記属性情報に基づいて連結し、ページ単位の画像データを生成する連結手段と、
を有することを特徴とする画像処理装置。
【請求項２】
前記連結手段は、前記分割データから前記属性情報を削除するとともに、前記属性情報が削除された分割データから前記ページ単位の画像データを生成することを特徴とする請求項１に記載の画像処理装置。
【請求項３】
前記分割データ生成手段は、前記ページ単位の画像データを分割した分割画像を圧縮して前記分割データを生成し、
前記連結手段は、前記画像処理手段にて画像処理された前記分割データを伸張してページ単位の画像データを生成することを特徴とする請求項１に記載の画像処理装置。
【請求項４】
前記分割データ生成手段が生成した複数の分割データを前記画像処理手段へ転送する転送手段を有し、
前記分割データ生成手段は、前記転送手段が前記複数の分割データを前記画像処理手段へ転送するための管理情報を生成することを特徴とする請求項１に記載の画像処理装置。
【請求項５】
前記分割データ生成手段は、外部装置から受信した印刷データを展開した前記ページ単位の画像データに基づいて前記分割データを生成することを特徴とする請求項１に記載の画像処理装置。
【請求項６】
ページ単位の画像データを分割した分割データ単位で画像を処理する画像処理装置において、
通信媒体を介して接続された外部装置から、ページ単位の画像データの分割にかかる属性情報が付加された分割データを受信する受信手段と、
前記受信手段が受信した前記分割データに所定の画像処理を行う画像処理手段と、
前記画像処理手段により画像処理された複数の前記分割データを前記属性情報に基づいて連結し、ページ単位の画像データを生成する連結手段と、
を有することを特徴とする画像処理装置。
【請求項７】
ページ単位の画像データを分割するとともに、前記画像データの分割にかかる属性情報を付加した分割データを生成する分割データ生成手段と、
前記分割データ生成手段が生成した前記分割データを前記外部装置に送信する送信手段とを有することを特徴とする請求項６に記載の画像処理装置。
【請求項８】
ページ単位の画像データを分割した分割データ単位で画像を処理する画像処理装置に接続可能な画像生成ユニットにおいて、
ページ単位の画像データを分割するとともに、前記画像データの分割にかかる属性情報を付加した分割データを生成する分割データ生成手段と、
前記分割データ生成手段により生成された前記分割データに所定の画像処理を行うべく、前記画像処理手段に前記分割データを送信する送信手段と、
前記画像処理手段により画像処理された複数の前記分割データを受信する受信手段と、
前記受信手段が受信した前記複数の分割データを前記属性情報に基づいて連結し、ページ単位の画像データを生成する連結手段と、
を有することを特徴とする画像生成ユニット。
【請求項９】
前記連結手段は、前記分割データから前記属性情報を削除するとともに、前記属性情報が削除された分割データから前記ページ単位の画像データを生成することを特徴とする請求項８に記載の画像生成ユニット。
【請求項１０】
前記分割データ生成手段は、前記ページ単位の画像データを分割した分割画像を圧縮して前記分割データを生成し、
前記連結手段は、前記画像処理装置にて画像処理された前記分割データを伸張してページ単位の画像データを生成することを特徴とする請求項８に記載の画像生成ユニット。
【請求項１１】
前記分割データ生成手段は、前記送信手段が前記複数の分割データを前記画像処理装置へ送信するための管理情報を生成することを特徴とする請求項８に記載の画像生成ユニット。
【請求項１２】
前記分割データ生成手段は、外部装置から受信した印刷データを展開した前記ページ単位の画像データに基づいて前記分割データを生成することを特徴とする請求項８に記載の画像生成ユニット。
【手続補正３】
【補正対象書類名】明細書
【補正対象項目名】００１２
【補正方法】変更
【補正の内容】
【００１２】
【課題を解決するための手段】
上記目的を達成するために、本発明の画像処理装置は、ページ単位の画像データを分割した分割データ単位で画像を処理する画像処理装置において、ページ単位の画像データを分割するとともに、前記画像データの分割にかかる属性情報を付加した分割データを生成する分割データ生成手段と、前記分割データ生成手段により生成された前記分割データに所定の画像処理を行う画像処理手段と、前記画像処理手段により画像処理された複数の前記分割データを前記属性情報に基づいて連結し、ページ単位の画像データを生成する連結手段とを有することを特徴とする。
【手続補正４】
【補正対象書類名】明細書
【補正対象項目名】００１３
【補正方法】変更
【補正の内容】
【００１３】
また、本発明の画像生成ユニットは、ページ単位の画像データを分割した分割データ単位で画像を処理する画像処理装置に接続可能な画像生成ユニットにおいて、ページ単位の画像データを分割するとともに、前記画像データの分割にかかる属性情報を付加した分割データを生成する分割データ生成手段と、前記分割データ生成手段により生成された前記分割データに所定の画像処理を行うべく、前記画像処理手段に前記分割データを送信する送信手段と、前記画像処理手段により画像処理された複数の前記分割データを受信する受信手段と、前記受信手段が受信した前記複数の分割データを前記属性情報に基づいて連結し、ページ単位の画像データを生成する連結手段とを有することを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】０２１２
【補正方法】変更
【補正の内容】
【０２１２】
【発明の効果】
以上説明してきたように、本発明によれば、ページ単位の画像データを分割した分割データ単位で画像を処理することで、画像処理の高速化を図りつつ、画像処理された複数の分割データを属性情報に基づいて連結し、ページ単位の画像データを生成する画像処理装置及びそれに接続される画像生成ユニットを提供することができる。
【手続補正１６】
【補正対象書類名】明細書
【補正対象項目名】０２１３
【補正方法】削除
【補正の内容】
【手続補正１７】
【補正対象書類名】明細書
【補正対象項目名】０２１４
【補正方法】削除
【補正の内容】
【手続補正１８】
【補正対象書類名】明細書
【補正対象項目名】０２１５
【補正方法】削除
【補正の内容】
【手続補正１９】
【補正対象書類名】明細書
【補正対象項目名】０２１６
【補正方法】削除
【補正の内容】
【手続補正２０】
【補正対象書類名】明細書
【補正対象項目名】０２１７
【補正方法】削除
【補正の内容】